(57)【要約】【課題】この発明は、レイアウトの制約の関係で再生中の早送り操作機能と実放送中における所定の操作機能とを共通の１つの操作部で兼用する場合であっても、再生状態から実放送状態へ移行した時に意に反する制御が実行されることを規制できる放送受信装置を提供することを目的とする。【解決手段】再生中の早送り操作機能を有する操作部と、実放送中における所定の操作機能を有する操作ボタン部とを共通の１つの操作部として構成するとともに、再生中の早送り操作によって再生状態から実放送状態に移行した場合でも（ｓ１、ｓ２１）、所定期間内は実放送に関わる操作に基づいた制御を規制する（ｓ４、ｓ２４）規制手段を備えた。【選択図】図７
2008227648.tif 000002
【特許請求の範囲】
【請求項１】
放送を受信する受信手段と、
該受信手段にて受信した放送を出力する出力手段と、
該出力手段にて出力中の実放送を記録する記録手段と、
該記録手段にて記録した放送を再生する再生手段とを備えた放送受信装置であって、
再生中の早送り操作機能を有する操作部と、実放送中における所定の操作機能を有する操作部とを共通の１つの操作部として構成するとともに、
再生中の早送り操作によって再生状態から実放送状態に移行した場合でも、所定期間内は実放送に関わる操作に基づいた制御を規制する規制手段を備えた
放送受信装置。
【請求項２】
上記記録手段にて記録した放送の再生に関わる操作が上記所定期間内に行われた場合は、その操作に基づいた制御を実行する
請求項１記載の放送受信装置。
【請求項３】
上記再生中の早送り操作によって再生状態から実放送状態に移行した場合、実放送中における上記共通の操作部の所定の操作機能の受付けを可能とした時、実放送状態に移行する前に上記記録手段にて記録した放送を削除する記録制御手段を備えた
請求項２記載の放送受信装置。
【請求項４】
実放送に関わる操作のうち、上記共通の操作部における操作とは異なる操作が上記所定期間内に行われた場合は、その操作に基づいた制御を実行する
請求項１〜３のいずれか一項に記載の放送受信装置。
【請求項５】
上記記録手段にて記録した放送の再生に関わる操作が上記所定期間内に行われず、
且つ実放送に関わる操作のうち、上記共通の操作部における操作とは異なる操作も上記所定期間内に行われなかった場合、
実放送状態へ移行する意思表示がなされたと判定し、実放送中における上記共通の操作部の所定の操作機能の受付けを可能とする
請求項１〜４のいずれか一項に記載の放送受信装置。
【発明の詳細な説明】
【技術分野】
【０００１】
この発明は、放送を受信する受信手段と、該受信手段にて受信した放送を出力する出力手段と、該出力手段にて出力中の実放送を記録する記録手段と、該記録手段にて記録した放送を再生する再生手段とを備えた放送受信装置に関する。
【背景技術】
【０００２】
従来より、受信手段にて受信した放送を記録する記録手段と、ユーザーの適宜の操作により記録した放送を再生する再生手段とを備えた放送受信装置が知られている。
【０００３】
また、このような放送受信装置の中には、受信手段にて受信した放送の記録中に、ユーザーによって再生に関わる操作がなされた時、現在受信している実放送の記録を継続しながら上記記録された放送データを記録手段から順次読み出して平行的に再生する所謂インスタントリプレイ機能（追っかけ再生機能ともいう）を備えるものがある。
【０００４】
このインスタントリプレイ機能は、例えば下記特許文献１に開示されているような、衛星から送信されるデジタルラジオ放送（衛星デジタルラジオ放送またはサテライトラジオ放送ともいう）を受信可能とする車載用の放送受信装置に搭載される。
【特許文献１】特開２００５−１８４６４６号公報
【発明の開示】
【発明が解決しようとする課題】
【０００５】
ところで、上記インスタントリプレイ機能を備える放送受信装置においては、実放送中における所定の操作機能を有する操作部と、再生（インスタントリプレイ）中における操作機能を有する操作部との両方を備える必要がある。ここで、実放送中における所定の操作機能としては、例えば放送局（チャンネル、プロバイダ等）の選択操作機能等が挙げられ、再生中における所定の操作機能としては、例えば早送り操作機能、早戻し操作機能、一時停止操作機能等が挙げられる。
【０００６】
この場合、操作パネル上には、上記操作機能毎に別個独立に操作部を設けるのが理想である。しかしながら、この場合、多数の操作部を設けなければならない。例えば、上記特許文献１の車載用の放送受信装置のように、上記操作部を設置する操作パネルのレイアウトに制約があるために、この操作パネル上に多数の操作部を設けることができない場合もある。そこで、実放送中における操作機能と、再生中における操作機能とを共通の１つの操作部で兼用させることが考えられる。
【０００７】
しかしながら、再生中の早送り操作機能を有する操作部が、実放送中における所定の操作機能を有する操作部と共通とされ、且つ早送り操作により再生位置（時間）が最新の記録位置、即ち実放送に到達してしまった時に自動的に実放送状態へ移行するように構成されている場合、問題が生じる。
【０００８】
即ち、この場合、早送り操作を継続している途中に再生位置が実放送に到達して実放送状態へ移行した結果、ユーザーが上記早送り操作と思い込んで行っていた操作が実放送における所定の操作として認識されることで、ユーザーの意に反する制御が実行されてしまう。
【０００９】
例えば、上記実放送における所定の操作機能が放送局を選択操作するための操作機能であったりすると、ユーザーが早送り操作と思い込んで行っていた操作が、状態が移行すると放送局の選択操作に切替わるため、この場合、ユーザーの意に反して放送局が切替わってしまう。
【００１０】
この発明は、レイアウトの制約の関係で再生中の早送り操作機能と実放送中における所定の操作機能とを共通の１つの操作部で兼用する場合であっても、再生状態から実放送状態へ移行した時に意に反する制御が実行されることを規制できる放送受信装置を提供することを目的とする。
【課題を解決するための手段】
【００１１】
この発明の放送受信装置は、放送を受信する受信手段と、該受信手段にて受信した放送を出力する出力手段と、該出力手段にて出力中の実放送を記録する記録手段と、該記録手段にて記録した放送を再生する再生手段とを備えた放送受信装置であって、再生中の早送り操作機能を有する操作部と、実放送中における所定の操作機能を有する操作部とを共通の１つの操作部として構成するとともに、再生中の早送り操作によって再生状態から実放送状態に移行した場合でも、所定期間内は実放送に関わる操作に基づいた制御を規制する規制手段を備えたものである。
【００１２】
この構成によれば、レイアウトの制約の関係で、再生中の早送り操作機能と実放送中における操作機能とを共通の１つの操作部で兼用させる場合であっても、再生状態から実放送状態に移行した時に意に反する制御がなされることを規制できる。
【００１３】
この発明の一実施態様においては、上記記録手段にて記録した放送の再生に関わる操作が上記所定期間内に行われた場合は、その操作に基づいた制御を実行するものである。
【００１４】
この構成によれば、上記所定期間内の上記操作により再生操作を継続することができる。
【００１５】
この発明の一実施態様においては、上記再生中の早送り操作によって再生状態から実放送状態に移行した場合、実放送中における上記共通の操作部の所定の操作機能の受付けを可能とした時、実放送状態に移行する前に上記記録手段にて記録した放送を削除する記録制御手段を備えたものである。
【００１６】
この構成によれば、上記規制手段による規制がなされている間は状態移行前に記録されていた放送は削除されないため、上記所定期間内に再生に関わる操作を行うことで、バックアップ用の記録手段を別途設けなくても上記記録手段内に記録された放送を保護することができる。
【００１７】
この発明の一実施態様においては、実放送に関わる操作のうち、上記共通の操作部における操作とは異なる操作が上記所定期間内に行われた場合は、その操作に基づいた制御を実行するものである。
【００１８】
この構成によれば、上記所定期間内であっても、実放送に関わる別の操作については、その操作に基づいた制御が実行され、意に即した操作を行うことができる。
【００１９】
この発明の一実施態様においては、上記記録手段にて記録した放送の再生に関わる操作が上記所定期間内に行われず、且つ実放送に関わる操作のうち、上記共通の操作部における操作とは異なる操作も上記所定期間内に行われなかった場合、実放送状態へ移行する意思表示がなされたと判定し、実放送中における上記共通の操作部の所定の操作機能の受付けを可能とするものである。
【００２０】
この構成によれば、上記所定期間が経過すれば、自動的に実放送中の操作を通常通り行うことができる。
【発明の効果】
【００２１】
この発明によれば、レイアウトの制約の関係で、再生中の早送り操作機能と実放送中における操作機能とを共通の１つの操作部で兼用させる場合であっても、再生状態から実放送状態に移行した時に意に反する制御がなされることを規制できる。
【発明を実施するための最良の形態】
【００２２】
以下、図面に基づいて本発明の実施形態を詳述する。  
図１は、本発明の実施形態に係るオーディオ装置１の操作パネル２を示す正面図である。オーディオ装置１は、車載用電装機器の１つとして車両に搭載されるものを一例として示しており、このオーディオ装置１は、例えば車室内に設けられたインストルメントパネル中央のセンターコンソール内に設置される。
【００２３】
図１に示すように、このオーディオ装置１の表面を構成する操作パネル２には、その上部に、利用を希望するメディアを選択するためのメディア選択ボタン群３が設けられ、その下部に、オーディオ装置１全体の電源をＯＮ／ＯＦＦする電源ボタンとしての機能と音量調節手段としての機能とを併せ持つ円筒突起状のメインスイッチ４が設けられている。
【００２４】
メディア選択ボタン群３は、ＡＭ／ＦＭラジオ放送を受信するためのＡＭ／ＦＭラジオ選択ボタンや、衛星デジタルラジオ放送（以下、単に衛星ラジオ放送と略記する）を受信するための衛星ラジオ選択ボタンや、コンパクトディスク（ＣＤ）に記録された音声データを再生するためのＣＤ選択ボタン等が列状に配設された構成となっている。
【００２５】
また、操作パネル２には、メインスイッチ４を挟んで複数の押圧ボタン式の操作ボタン５（５Ａ、５Ｂ…５Ｌ）が設けられ、これら操作ボタン５Ａ〜５Ｌの下側には、後述する選局用操作つまみ６が設けられている。
【００２６】
次に本実施形態に係るオーディオ装置１の制御システムについて、さらに図２に示すシステムブロック図を参照して説明する。オーディオ装置１には、タイマ１１を内蔵したコントローラ１０が設けられ、このコントローラ１０はオーディオ装置１のシステム制御を行う。
【００２７】
コントローラ１０には受信回路１２が接続されており、この受信回路１２は、衛星ラジオ放送に用いられるＧＨｚ帯の周波数の電波や、ＡＭ、ＦＭ電波を車外アンテナ１３を介して受信することが可能である。
【００２８】
また、コントローラ１０には、情報記憶手段（揮発性メモリ）によって構成されるメモリ１４、レコーダ／プレイヤ１５が接続され、このレコーダ／プレイヤ１５により、車外アンテナ１３、受信回路１２を介して受信した現在放送中の衛星ラジオ放送をメモリ１４に記録することが可能になっている。
【００２９】
さらに、本実施形態のオーディオ装置１は、メモリ１４への放送記録中ユーザーによって再生に関わる操作がなされた時、現在受信している実放送の記録を継続しながらレコーダ／プレイヤ１５が上記記録された放送をメモリ１４から順次読み出して平行的に再生するインスタントリプレイ機能を備えている。
【００３０】
また、コントローラ１０には、アンプ１６が接続されており、アンプ１６は音楽データ、放送データ等の音声情報信号を増幅変換して車載スピーカ１７から出力するように構成されている。
【００３１】
さらに、コントローラ１０には、操作系インターフェイス１８を介して、メディア選択ボタン群３、メインスイッチ４、操作ボタン５Ａ〜５Ｌ、選局用操作つまみ６等が接続されている。
【００３２】
オーディオ装置１は、複数種のメディアに対応すべくシステムが構成されており、操作ボタン５Ａ〜５Ｌの中には、メディア選択ボタン群３により選択された各メディアに応じて機能が変化する多機能ボタンとなっているものもある。
【００３３】
例えば、メディア選択ボタン群３のうち「ＣＤ」という機能内容の表示がなされたボタン（図１参照）を操作した場合には、音声データ等が記録されたＣＤをＣＤプレイヤ１９に装着することにより、上記ＣＤから好きな音楽を再生出力して楽しむこともでき、その際、操作ボタン５Ａ〜５Ｌを適宜操作することにより、ノーマルスピードでの再生や、早戻し、早送り等の操作を行うことが可能となる。
【００３４】
その他、メディア選択ボタン群３のうち「ＳＡＴ」という機能内容の表示がなされたボタン（図１参照）を操作した場合には、オーディオ装置１は、衛星ラジオ放送を受信して現在放送中の内容（実放送）を聴取可能としたり、メモリ１４に記録された放送をインスタントリプレイ機能により再生したりすることが可能であり、その際、操作ボタン５Ａ〜５Ｌを適宜操作することにより、実放送の聴取時における放送局の選択や、再生時におけるノーマルスピード（実放送時の速度と略同一の速度）での再生や、早戻し、早送り等の操作を行うことが可能となる。なお、図２においては、便宜上メディア選択ボタン群３の操作により、オーディオ装置１が衛星ラジオ放送の受信装置として機能する際のシステムブロック図のみを詳細に図示している。
【００３５】
ここで、メディア選択ボタン群３の操作により、オーディオ装置１が衛星ラジオ放送の受信装置として機能する場合、操作ボタン５Ａ〜５Ｌの中には、衛星ラジオ放送を利用する範囲内においてもさらに機能が変化するものがある。
【００３６】
具体的には、コントローラ１０は、操作ボタン５Ａ、５Ｄを、カテゴリ選択／トラックアップ兼用ボタン、カテゴリ選択／トラックダウン兼用ボタンとして認識し、操作ボタン５Ｅを再生・一時停止ボタン、５Ｇ〜５Ｌを、後述するプリセットボタンとして認識するようになっている。特に、操作ボタン５Ｇ〜５Ｌのうち、操作ボタン５Ｊ、５Ｋについては、それぞれ早戻し操作機能、早送り操作機能を兼用するものとして認識するようになっている。
【００３７】
ところで、衛星ラジオ放送においては、現在多数の放送局が存在している。そこで、本実施形態のオーディオ装置１では、図３に示す概念図のように「音楽」、「ニュース」、「スポーツ」…等のカテゴリという大きな概念が設定されており、各放送局（チャンネル）は、先ずそれぞれが関連するカテゴリに振り分けられ、そして該カテゴリ内で各放送局に対応するチャンネル番号が順番に割り当てられている。
【００３８】
例えば、「音楽」カテゴリにおいては、第１ポップス専門チャンネル、第２ポップス専門チャンネル、ロック専門チャンネル、クラシック専門チャンネル…が属しており、それぞれチャンネル番号１、２、３、４…が割り当てられている。
【００３９】
そして、ユーザーが選局を行う際には、先ず操作ボタン５Ａ、５Ｄを操作することにより、カテゴリ番号を順次切替えて希望するカテゴリを選択できるようになっている。具体的には、図１において上向きの矢印の表示がなされた操作ボタン５Ａを操作することで、カテゴリを、カテゴリ番号１の「音楽」→カテゴリ番号２の「ニュース」→カテゴリ番号３の「スポーツ」…の順番で切替えることができ、下向きの矢印の表示がなされた操作ボタン５Ｄを操作することで、カテゴリを、…「スポーツ」→「ニュース」→「音楽」の順番で切替えることができるようになっている。
【００４０】
さらに、カテゴリの選択後は、選局用操作つまみ６を回転操作することでその選択されたカテゴリ内のチャンネル番号を順次切替えて選択することができるようになっている。
【００４１】
例えば、「音楽」カテゴリの第１ポップス専門チャンネル（チャンネル番号１）が選択された状態で「ニュース」カテゴリに属するニュース専門チャンネルＢ局（チャンネル番号１２）を選択する場合、ユーザーは先ず操作ボタン５Ａの操作により「音楽」→「ニュース」の順番でカテゴリを切替え、次に「ニュース」カテゴリに切替わったところで選局用操作つまみ６を回転操作して、番号１１→番号１２の順番でチャンネル番号を切替えることになる。
【００４２】
但し、チャンネル番号の選択は、単に選局用操作つまみ６を回転操作するのみでも行うことができる。例えば、第１ポップス専門チャンネルが選択された状態でニュース専門チャンネルＢ局を選択する場合、選局用操作つまみ６を回転操作することにより、チャンネル番号１→番号２→…→番号１１→番号１２のように、カテゴリの枠を超えて単純にチャンネル番号順に切替えることもできる。
【００４３】
また、日頃から頻繁に利用するお気に入りのチャンネルがあれば、予めこれを登録し、操作ボタン５のワンタッチ操作ですぐさま上記お気に入りのチャンネルを選択することもできる。
【００４４】
図１に示す操作ボタン５Ｇ〜５Ｌは、それぞれ番号「１」〜「６」の表示がなされており、本実施形態では最大６つのチャンネルを登録することができるようになっている。例えば、操作ボタン５Ｇ（プリセット番号１）には、第２ポップス専門チャンネル（チャンネル番号２）を登録し、操作ボタン５Ｈ（プリセット番号２）には、第１野球専門チャンネル（チャンネル番号２１）を登録し、…という具合にお気に入りのチャンネルを登録することが可能である。
【００４５】
また、オーディオ装置１が衛星ラジオ放送の受信装置として機能する場合、再生時には、操作ボタン５Ａ、５Ｄがそれぞれ、後述するトラックアップボタン、トラックダウンボタン、操作ボタン５Ｅが再生・一時停止ボタン、操作ボタン５Ｊ、５Ｋがそれぞれ早戻しボタン、早送りボタンとして機能するようになっている。
【００４６】
トラックアップボタン、トラックダウンボタンは、それぞれ再生時において、放送局側で定めた位置（時点）に順次ジャンプして再生を開始させるものである。衛星ラジオ放送においては、放送局側が放送を送信する際、放送のデータと併せて、上記トラックアップ、トラックダウン操作によって再生が開始される位置を定めた位置データも送信している。例えば、「音楽」カテゴリに属する放送局であれば、上記位置が１曲毎に設定される。
【００４７】
レコーダ／プレイヤ１５は、この位置データを受信すると、上記位置をトラックの区切りとして認識しながらメモリ１４に記録していく。そして、再生時には、操作ボタン５Ａ、５Ｄが操作されると、放送局側で定められた位置に順次ジャンプして、次のトラック、前のトラックの再生を開始するようになっている。
【００４８】
なお、「音楽」カテゴリ以外のカテゴリに属する放送については、明確な節目を決定しにくいという理由から、トラックアップ操作、トラックダウン操作に対応していないものもある。そこで、このような放送にも対応すべく操作ボタン５Ｊ、５Ｋが設けられており、これらの操作によって記録されたデータを連続的に早戻し、早送りできるようになっている。
【００４９】
従って、本実施形態において早戻し、早送りと言えば、操作ボタン５Ｊ、５Ｋの操作による連続的な早戻し、早送りの他、上記操作ボタン５Ｄ、５Ａの操作による前のトラックへのジャンプ（所謂トラックダウン）、次のトラックへのジャンプ（所謂トラックアップ）も含まれることになる。
【００５０】
ところで、操作ボタン５Ａ、５Ｄ、５Ｊ、５Ｋにおいては、上述したように実放送時におけるカテゴリ選択、チャンネル選択手段としての機能と、再生時における早戻し、早送り操作手段としての機能とを備える構成となっている。即ち、再生中の早戻し、実放送中における所定の操作機能を有する操作ボタンと、早送り操作機能を有する操作ボタンとが共通の１つの操作ボタンに集約される構成となっている。
【００５１】
このような構成により、オーディオ装置１においては、操作ボタン５の数の増加が抑制され、操作パネル２の面積の縮小を図ることができる。従って、車両において操作パネル２のレイアウトに制約があったとしてもオーディオ装置１を搭載することが可能になる。
【００５２】
しかしながら、１つの操作ボタンにおいて、実放送時における機能と再生時における機能とを兼用させることで次に述べるような問題がある。例えば、図４に示すタイミング図のように、再生時にユーザーが操作ボタン５Ａ、５Ｋを操作して早送り操作を継続している途中、図中の時点ｔ０において再生位置が実放送に到達した結果、実放送状態へ移行してしまった場合である。
【００５３】
即ち、ユーザーが早送り操作と思い込んで行っていた操作が、状態が移行するとカテゴリの選択操作または予め登録されたチャンネルの選択操作に切替わるため、この場合ユーザーの意に反して放送局が切替わってしまう。
【００５４】
そこで、本実施形態では、再生中の操作ボタン５Ａ、５Ｋの操作による早送り操作によって再生状態から実放送状態に移行した場合でも、コントローラ１０は、その時点ｔ０から所定期間Ｔ内は操作ボタン５Ａ、５Ｄ、５Ｊ、５Ｋについて、実放送に関わる操作に基づいた制御を規制するようになっている。
【００５５】
即ち、上記所定期間Ｔ内においては、車載スピーカ１７（図２参照）からは実放送を出力しつつも、操作ボタン５Ａ、５Ｄ、５Ｊ、５Ｋを操作しても、カテゴリの選択、及び予め登録されたチャンネルの選択が実行されないようになっている。
【００５６】
このため、上述したようなレイアウトの制約の関係で、再生中の早送り操作機能と実放送中における操作機能とを共通の１つの操作ボタン５Ａ、５Ｄ、５Ｊ、５Ｋで兼用させる場合であっても、再生状態から実放送状態に移行した時に意に反する制御がなされることを規制できる。
【００５７】
また、図５に示すように、この所定期間Ｔ内の時点ｔ１において操作ボタン５Ｄ、５Ｅ、５Ｊが操作された時、再生状態を継続する意思表示がなされたとみなして、コントローラ１０は、実放送のための制御を実行する実放送モードから、再生のための制御を実行するインスタントリプレイモードに戻り、且つ再生に関わる操作に基づいた制御、即ち、トラックダウン操作、ノーマルスピード再生操作、早戻し操作に基づいた制御を実行するようになっている。特に操作ボタン５Ｄ、５Ｊについては、実放送に基づいた制御が規制されているため、コントローラ１０は、これらの操作がなされた時は再生に関わる操作と認識して制御を実行する。
【００５８】
このため、ユーザーが希望すれば、上記所定期間Ｔ内における操作により再生操作を継続することができる。
【００５９】
この場合、時点ｔ１以降は、コントローラ１０は、インスタントリプレイモードに移行しているため、上記所定期間Ｔが経過していなくても再び操作ボタン５Ａ、５Ｋによる操作がなされた時には、この操作を早送り操作として認識する。ここで、操作ボタン５Ａ、５Ｋの操作により時点ｔ２において再び再生状態から実放送状態に移行した場合には、コントローラ１０は、その時点ｔ２から操作ボタン５Ａ、５Ｄ、５Ｊ、５Ｋについて、実放送に関わる操作に基づいた制御を再び規制するようになっている。
【００６０】
また、図６に示すように、この所定期間Ｔ内の時点ｔ３において操作ボタン５Ｇ〜５Ｉ、５Ｌ、または選局用操作つまみ６のように、実放送時のみにおいて機能する操作ボタンが操作された時、即ち、操作ボタン５Ａ、５Ｄ、５Ｊ、５Ｋとは異なる操作がなされた時、コントローラ１０は、実放送状態に移行する意思表示がなされたとみなして、実放送モードへ移行しつつ、且つ実放送に関わる操作に基づいた制御、即ちカテゴリ選択操作、またはチャンネル選択操作に基づいた制御を実行するようになっている。そして、この時コントローラ１０は、操作ボタン５Ａ、５Ｄ、５Ｊ、５Ｋの実放送に関わる操作に基づいた制御の規制を解除し、以降これらの操作をカテゴリの選択操作、登録チャンネルの選択操作として認識するようになっている。
【００６１】
このように、上記所定期間Ｔ内であっても、操作ボタン５Ａ、５Ｄ、５Ｊ、５Ｋとは別の実放送に関わる操作については、コントローラ１０がその操作に基づいた制御を実行することで、ユーザーの意に即した操作を行うことができる。
【００６２】
ところで、従来、再生中の早送り操作によって再生状態から実放送状態に移行した後、チャンネルが切替えられると、コントローラは、実放送状態に移行する前にメモリ内にて記録していた放送を削除するようになっていた。このため、ユーザーとしてはメモリ１４に記録されていた放送を削除するつもりがなかったにも関わらず、上述のような状態の移行により意に反して放送を削除してしまうという事態を招く虞があった。
【００６３】
ここで、放送が意に反して削除されるという問題に対しては、例えばメモリ１４とは異なる大容量のメモリを別途バックアップ用として外付けするという対応策が考えられるが、この場合メモリの設置によるコストの増大が新たな問題となる。
【００６４】
そこで、本実施形態では、操作ボタン５Ａ、５Ｄ、５Ｊ、５Ｋについて、実放送中におけるこれらの操作の所定の操作機能の受付けを可能とするまでは、メモリ１４にて記録された放送の削除を実行しないようにしている。
【００６５】
これにより、上記規制がなされている間は状態移行前に記録されていた放送は削除されないため、上記所定期間Ｔ内に操作ボタン５Ｄ、５Ｅ、５Ｊの操作を行うことで、バックアップ用の記録手段を別途設けなくても上記メモリ１４内に記録された放送を保護することができる。
【００６６】
以下、コントローラ１０により実行される規制制御について、図７のステートチャート図を参照しながら説明する。コントローラ１０は、所定の制御プログラムを実行することにより、図７に角丸長方形で示す３つの状態を遷移する。
【００６７】
実放送モードは、現在放送中の放送を車載スピーカ１７（図２参照）に出力する状態である。メディア選択ボタン群３において衛星ラジオ放送を選択するアクションにより、コントローラ１０は先ずこの実放送モードの状態に遷移する。この実放送モードにおいては、操作ボタン５Ａ、５Ｄ、５Ｇ〜５Ｌ、または選局用操作つまみ６を操作するアクションにより、実放送に関わる操作に基づいた制御が実行され、カテゴリ選択操作、チャンネル番号選択操作に基づいた制御を実行する。
【００６８】
なお、この実放送モードにおいて、ＡＭ／ＦＭラジオやＣＤ等、メディア選択ボタン群３にて他のメディアの選択操作がなされるか、メインスイッチ４によって電源ＯＦＦ操作がなされると、コントローラ１０は実放送モードに規定された処理を終了する。
【００６９】
また、実放送モードにおいて、コントローラ１０は、再生・一時停止操作のアクションによりインスタントリプレイモードに遷移する。具体的には、操作ボタン５Ｅが操作されると、インスタントリプレイモードに規定された処理を実行する。
【００７０】
このインスタントリプレイモードにおいては、操作ボタン５Ａ、５Ｄ、５Ｅ、５Ｊ、５Ｋの操作のアクションにより、再生に関わる操作に基づいた制御が実行され、トラックアップ／トラックダウン、ノーマルスピードでの再生、早戻し、早送りの操作に基づいた制御が実行される。
【００７１】
なお、このインスタントリプレイモードにおいて、ＡＭ／ＦＭラジオやＣＤ等、メディア選択ボタン群３にて他のメディアの選択操作がなされるか、メインスイッチ４によって電源ＯＦＦ操作がなされると、コントローラ１０は実放送モードに規定された処理を終了する。
【００７２】
また、インスタントリプレイモードにおいて、コントローラ１０は、実放送に関わる操作、または実放送移行ボタンの操作のアクションにより、実放送モードに遷移する。具体的には、操作ボタン５Ｇ〜５Ｉ、５Ｌ、または選局用操作つまみ６が操作されると、コントローラ１０は実放送モードに規定された処理を実行する。
【００７３】
さらに、インスタントリプレイモードにおいて、コントローラ１０は、トラックアップを含む早送り操作に伴う実放送到達イベントにより、移行モードに遷移する。具体的には、操作ボタン５Ａ、５Ｋの操作がなされた結果、実放送に到達すると、コントローラ１０は移行モードに規定された処理を実行する。
【００７４】
移行モードにおいて、コントローラ１０は、内蔵されたタイマ１１（図２参照）により、実放送移行へのタイムカウントを初期化して所定期間Ｔに相当する時間分のカウントダウンを開始する。
【００７５】
この移行モードにおいて、コントローラ１０は、再生に関わる操作のアクションによりインスタントリプレイモードに遷移する。具体的には、操作ボタン５Ａ、５Ｋを除く操作ボタン５Ｄ、５Ｅ、５Ｊが操作されると、コントローラ１０はインスタントリプレイモードに規定される処理を実行する。
【００７６】
さらに、移行モードにおいて、コントローラ１０は、実放送に関わる操作のアクション、またはタイムカウント０イベントより、実放送モードに遷移する。具体的には、操作ボタン５Ｇ〜５Ｉ、５Ｌ、または選局用操作つまみ６が操作されるか、上記カウントダウン開始から上記所定期間Ｔが経過すると、コントローラ１０は実放送モードに規定された処理を実行する。
【００７７】
なお、この移行モードにおいて、ＡＭ／ＦＭラジオやＣＤ等、メディア選択ボタン群３にて他のメディアの選択操作がなされるか、メインスイッチ４によって電源ＯＦＦ操作がなされると、コントローラ１０は移行モードに規定された処理を終了する。
【００７８】
本実施形態のオーディオ装置１は、図７に示したプログラムを実行するコントローラ１０の作動により、再生状態から実放送状態に移行すると、上記所定期間Ｔのカウントダウンを実行しつつ、実放送に関わる操作に基づいた制御の規制を開始する。
【００７９】
次に、コントローラ１０により実行される規制制御について、さらに図８のフローチャートを参照しながら説明する。
【００８０】
先ず、コントローラ１０は、ステップｓ１において操作スイッチ５Ａ、または操作スイッチ５Ｋによる早送り操作により再生位置が実放送に到達したか否かを判定し、その結果実放送へ到達していなければ（ステップｓ１：ＮＯ）、そのまま通常の操作に基づいた制御を実行し（ステップｓ２）、処理をリターンする。一方、実放送に到達していれば（ステップｓ１：ＹＥＳ）、コントローラ１０はステップｓ３に移行し、実放送に到達してから上記所定期間Ｔが経過したか否かを判定する。
【００８１】
ここで、上記所定期間Ｔが経過していなければ（ステップｓ３：ＮＯ）、コントローラ１０は、操作スイッチ５Ａ、５Ｄ、５Ｊ、５Ｋの実放送に関わる操作に基づいた制御を規制して（ステップｓ４）、ステップｓ５に移行する。
【００８２】
このステップｓ５において、コントローラ１０は、操作スイッチ５Ｄ、５Ｅ、５Ｊによる早戻し操作またはノーマルスピード再生操作といった再生に関わる操作がなされたか否かを判定する。
【００８３】
ここで、再生に関わる操作がなされていれば（ステップｓ５：ＹＥＳ）、コントローラ１０は、ステップｓ６に移行し、以降操作ボタン５Ａ、５Ｋの操作がなされて実放送に到達したか否かを判定する。そして、このステップｓ６において実放送に到達していなければ（ステップｓ６：ＮＯ）、コントローラ１０は、操作ボタン５Ａ、５Ｋの操作を再生に関わる操作、即ち早送り操作と認識して、これに基づいた制御を実行し（ステップｓ７）、処理をリターンする。
【００８４】
また、ステップｓ５において、再生に関わる操作なされなかった場合（ステップｓ５：ＮＯ）、またはステップｓ６において、実放送に到達した場合（ステップｓ６：ＹＥＳ）には、ステップｓ８に移行して、さらに操作スイッチ５Ｇ〜５Ｉ、５Ｌ、または選局用操作つまみ６のいずれかの操作がなされたか否かを判定する。このステップｓ８において、操作スイッチ５Ｇ〜５Ｉ、５Ｌ、選局用操作つまみ６のいずれの操作もなされていなければ（ステップｓ８：ＮＯ）、コントローラ１０は、ステップｓ３に戻り、上記所定期間Ｔが経過しているか否かの判定を繰り返すことになる。
【００８５】
一方、ステップｓ８において、操作スイッチ５Ｇ〜５Ｉ、５Ｌ、選局用操作つまみ６のいずれかの操作がなされれば（ステップｓ８：ＹＥＳ）、コントローラ１０は、実放送に関わる操作、即ち、選局操作に基づいた制御を実行する（ステップｓ９）。
【００８６】
ここで、ステップｓ３において、上記所定期間Ｔが経過したと判定するか（ステップｓ３：ＹＥＳ）、ステップｓ９において、実放送に関わる操作に基づいた制御を実行するかのいずれかにより、コントローラ１０はステップｓ１０に移行する。ステップｓ１０において、コントローラ１０は、操作スイッチ５Ａ、５Ｄ、５Ｊ、５Ｋの実放送に関わる操作に基づいた制御の規制を解除しつつ、状態移行前にメモリ１４にて記録されていた放送を削除し（ステップｓ１１）、処理をリターンする。
【００８７】
ここで、ステップｓ３において上記所定期間Ｔが経過したと判定されるのは、再生に関わる操作が上記所定期間Ｔ内に行われず、且つ実放送に関わる操作のうち、操作ボタン５Ａ、５Ｄ、５Ｊ、５Ｋ以外の操作も上記所定期間Ｔ内に行われなかった場合である。この時コントローラ１０は、上記所定期間Ｔ内に上記各操作がなされなかったことに基づいて、実放送状態へ移行する意思表示がなされたとみなし、ステップｓ１０に移行して実放送中における操作ボタン５Ａ、５Ｄ、５Ｊ、５Ｋのカテゴリ選択、チャンネル選択の操作機能の受付を可能としている。これにより、上記所定期間Ｔが経過すれば、自動的に実放送中の操作を通常通り行うことができる。
【００８８】
ところで、上述した実施形態では、実放送状態に移行した時点を上記所定期間Ｔのカウントダウン開始時点としているが、本発明は必ずしもこれに限定されない。例えば、所定期間Ｔ内において操作スイッチ５Ａ、５Ｋのいずれかが操作された時、上記カウントを初期化して、この時点を新たな所定期間Ｔのカウントダウン開始時点とするようにしてもよく、さらにこの所定期間Ｔ内に再び操作スイッチ５Ａ、５Ｋが操作されると、その都度実放送移行へのカウントを初期化して、再度カウントダウンを開始するようにしてもよい。
【００８９】
次に、コントローラ１０により実行される規制制御の別の実施形態について、図９、図１０のフローチャートを参照しながら説明する。なお、図９に示す処理のうち、ステップｓ２１〜ｓ３１は、それぞれ図８のステップｓ１〜ｓ１１に対応しているため、その重複した部分についての詳しい説明は省略する。
【００９０】
この実施形態では、ステップｓ２８において、操作スイッチ５Ｇ〜５Ｉ、５Ｌ、選局用操作つまみ６のいずれの操作もなされなければ（ステップｓ２８：ＮＯ）、コントローラ１０は、ステップｓ３２に移行して、さらに実放送に関わる操作が規制されている操作ボタン５Ａ、５Ｋの操作がなされたか否かを判定する。
【００９１】
ここで、操作ボタン５Ａ、５Ｋの操作がなされていなければ（ステップｓ３２：ＮＯ）、コントローラ１０は、ステップｓ２３に戻って、状態移行時から所定期間Ｔが経過しているか否かの判定を繰り返す一方、操作ボタン５Ａ、５Ｋの操作がなされていれば（ステップｓ３２：ＹＥＳ）、図１０に示す一連のフローチャートのステップｓ３３に移行する。
【００９２】
この時、コントローラ１０は、実放送移行へのカウントを初期化して、再度カウントダウンを開始している。そして、ステップｓ３３において、コントローラ１０は、一度操作ボタン５Ａ、５Ｋの操作がなされてから予め設定された上記所定期間Ｔ内に操作ボタン５Ａ、５Ｄ、５Ｅ、５Ｇ〜５Ｌ、選局用操作つまみ６のいずれかが操作されたか否かを判定する。
【００９３】
このステップｓ３３において、いずれの操作もなされなければ（ステップｓ３３：ＮＯ）、コントローラ１０は、図９に示すステップｓ３０、ｓ３１の処理を実行し、処理をリターンする。
【００９４】
一方、ステップｓ３３において、いずれかの操作がなされていれば（ステップｓ３３：ＹＥＳ）、コントローラ１０は、図９のステップｓ２５〜ｓ２９に対応するステップｓ３４〜ｓ３８の処理を実行する。このうち、ステップｓ３７において、操作スイッチ５Ｇ〜５Ｉ、５Ｌ、選局用操作つまみ６のいずれの操作もなされていなければ（ステップｓ３７：ＮＯ）、この場合は、ステップｓ３４の判定と併せて、コントローラ１０は、ステップｓ３３において操作ボタン５Ａ、５Ｋのいずれかが操作されたものと判定し、実放送移行へのカウントを初期化して、再度カウントダウンを開始しつつ、ステップｓ３３に戻る。
【００９５】
このように、操作スイッチ５Ａ、５Ｋが操作された時、その都度実放送移行へのカウントを初期化して、再度カウントダウンを開始するようにすることで、ユーザーが再生状態にあると思い込んで操作ボタン５Ａ、５Ｋを操作している限りは、確実に実放送モードへ移行することを防止でき、ユーザーの意に反する制御がなされることを確実に規制することができる。
【００９６】
ところで、上述した各実施形態では、上記規制制御を実行する対象を衛星ラジオとしているが、インスタントリプレイ機能を備えるメディアであれば必ずしもこれに限定されない。例えばその他のラジオ放送用受信装置や、テレビジョン放送用受信装置に上記規制制御を適用してもよい。
【００９７】
また、上述した各実施形態では、上記規制制御を車載用のオーディオ装置１に適用した場合を説明したが、本発明は必ずしもこれに限定されない。例えば、屋内用のオーディオ装置や携帯用端末装置に適用してもよい。
【００９８】
例えば、近年、携帯電話端末にてテレビジョン放送を受信するサービスが開始され、これに関連して録画機能並びにインスタントリプレイ機能を備えた機種も発表されている。
【００９９】
このような携帯電話端末においては、操作ボタンの設置スペースに制約があるという点で、上述した車両のオーディオ装置１と共通するところがある。従って、上記携帯電話端末においても、車両のオーディオ装置１の場合と同様、上記規制制御は極めて有効なものとなる。
【０１００】
この発明の構成と、上述の実施形態との対応において、
この発明の受信手段は、受信回路１２に対応し、
以下同様に、
出力手段は、車載スピーカ１７に対応し、
記録手段は、レコーダ／プレイヤ１５に対応し、
再生手段は、レコーダ／プレイヤ１５に対応し、
放送受信装置は、オーディオ装置１に対応し、
共通の１つの操作部は、操作ボタン５Ａ、５Ｋに対応し、
規制手段は、ステップｓ４、ｓ２４を実行するコントローラ１０に対応し、
記録制御手段は、ステップｓ１１、ｓ３１を実行するコントローラ１０に対応するも、
この発明は、上述の実施形態の構成のみに限定されるものではなく、多くの実施の形態を得ることができる。
【図面の簡単な説明】
【０１０１】
【図１】本発明の実施形態に係るオーディオ装置の操作パネルを示す正面図。
【図２】本発明の実施形態に係るオーディオ装置の構成を示すシステムブロック図。
【図３】カテゴリ番号とチャンネル番号との関係を説明するための概念図。
【図４】再生状態から実放送状態へ移行する際の規制制御を説明するためのタイミング図。
【図５】再生状態から実放送状態へ移行する際の規制制御を説明するためのタイミング図。
【図６】再生状態から実放送状態へ移行する際の規制制御を説明するためのタイミング図。
【図７】コントローラにより実行される規制制御を示すステートチャート図。
【図８】コントローラにより実行される規制制御を示すフローチャート。
【図９】本発明の別の実施形態に係るコントローラにより実行される規制制御を示すフローチャート。
【図１０】図９に続くフローチャート。
【符号の説明】
【０１０２】
１…オーディオ装置
５…操作ボタン
６…選局用操作つまみ
１０…コントローラ
１２…受信回路
１５…レコーダ／プレイヤ
１７…車載スピーカ
ｓ４、ｓ２４…規制手段
ｓ１１、ｓ３１…記録制御手段
【図１】
2008227648.tif 000003
【図２】
2008227648.tif 000004
【図３】
2008227648.tif 000005
【図４】
2008227648.tif 000006
【図５】
2008227648.tif 000007
【図６】
2008227648.tif 000008
【図７】
2008227648.tif 000009
【図８】
2008227648.tif 000010
【図９】
2008227648.tif 000011
【図１０】
2008227648.tif 000012